(57)【要約】【課題】  システムをまたがって接続互換性の有無を、使用者が外観から容易に理解する。【解決手段】  各内視鏡システムにまたがってブロープとプロセッサ装置との接続互換性を表示可能とし接続互換性の表示の追加も可能としたものであり、例えば内視鏡システム１Ａは、レセプタクル８を設けたプロセッサ装置９Ａと、プロセッサ装置９Ａのレセプタクル８に接続されるプラグ６を設けたブローブ部１１と、プロセッサ装置９Ａ及びプラグ６に設けられプロセッサ装置９Ａとブロープの接続互換性の表示または前記接続互換性の表示の追加を可能とする互換性識別表示手段であるカラーコード部３０ｐ，３ｏｒとを備えたものである。【選択図】  図３
2005168769.tif 000002
【特許請求の範囲】
【請求項１】
体腔内を撮像する複数の内視鏡と、前記内視鏡より延出したケーブル基端に設けられたプラグを着脱自在に接続するレセプタクルを有する前記内視鏡が撮像した撮像信号を信号処理する複数のプロセッサ装置とを備えた内視鏡システムにおいて、
前記プラグに設けられ、前記プロセッサ装置との接続互換性の表示を行う第１の互換性識別表示手段と、
前記レセプタクルに設けられ、前記内視鏡との接続互換性の表示を行う第２の互換性識別表示手段と
を備えたことを特徴とする内視鏡システム。
【請求項２】
前記第１及び第２の互換性識別表示手段は、前記接続互換性の表示の追加を可能とする
ことを特徴とする請求項１に記載の内視鏡システム。
【請求項３】
前記第１及び第２の互換性識別表示手段は、予め複数用意された識別部材保持部分と、前記識別部材保持部分に着脱自在な色分けされた識別部材とからなる
ことを特徴とする請求項１または２に記載の内視鏡システム。
【請求項４】
前記識別部材は、ゴム部材の圧入、ゴムリングの装着、ねじ、シール等で取付られる
ことを特徴とする請求項３に記載の内視鏡システム。
【請求項５】
前記プラグは、
前記内視鏡の種別を設定する内視鏡種別設定手段を有し、
前記第２の互換性識別表示手段は、
前記内視鏡種別設定手段により設定された前記内視鏡の種別を識別する内視鏡識別手段と、前記内視鏡識別手段による前記内視鏡の種別結果に基づき前記第１の互換性識別手段の表示に基づいた色を発光する色発光手段とを含んで構成される
ことを特徴とする請求項１または２に記載の内視鏡システム。
【請求項６】
前記内視鏡種別設定手段は、抵抗値により前記内視鏡の種別を設定する
ことを特徴とする請求項５に記載の内視鏡システム。
【発明の詳細な説明】
【技術分野】
【０００１】
本発明は、内視鏡と該内視鏡から延出したプローブを着脱自在に接続するプロセッサ装置とからなる内視鏡システムに関する。
【背景技術】
【０００２】
この種の内視鏡システムは、テレビカメラヘッドや電子内視鏡等のプローブ部分と、前記プローブ部分の所要の部位にライトガイドケーブルで接続され当該所要の機器に光を供給する光源装置と、前記プローブ部分に電気的に接続され前記プローブ部分からの撮像信号を処理するプロセッサ装置と、前記プロセッサ装置からの映像信号を表示するモニタ装置とから構成されているものが一般的である。このような内視鏡システムは、新たな形式（仕様：例えば、内視鏡からの撮像信号の処理形式等）のものが次々と提案されている。
【０００３】
このように各種の形式（仕様）の内視鏡システムが次々と提供される現状においては、新しい内視鏡システムが提供される度に、新たに提供された内視鏡システムのプロセッサ装置に古い内視鏡システムのフローブ等が接続されるか、あるいは、古い内視鏡システムのプロセッサ装置に新たに提供された内視鏡システムのフローブ部分を接続できるかというシステムをまたがった接続互換性の有無が混乱してしまうことがよくあった。
【０００４】
特に、既存の内視鏡システムの場合には、新しい内視鏡システムが提供された後から、その互換性がわかるように表示を施すことができなかった。そのため、新しい内視鏡システム側で、古い内視鏡システムの互換性がないプローブ部分などが物理的に接続されないように、例えば古い内視鏡システムのプローブ部分のプラグが接続できないレセプタクルを新たな内視鏡システムのプロセッサ装置に設けるなどの工夫をしていた。
【０００５】
しかし、かかる対処方法では、プローブ部分のプラグやプロセッサ装置のレセプタクルの外観から互換性の有無を判断することが困難であり、実際には、プローブ部分を機器置き場から持ってきて、実際に取り付けることができるかどうか試すまで接続の可否がわからないなどのことがあって、接続の判断に時間がかかるという問題があった。
【０００６】
このような問題を解決するために、例えば本出願人が先に出願した特願２００２−１６０５５５号において、識別手段を設け、機器自体は組み合わされる相手の機器を識別できるようにした技術を提案している。
【０００７】
この技術により、組み合わされる相手の機器を認識できるため、機器の取り扱いが容易になる。
【発明の開示】
【発明が解決しようとする課題】
【０００８】
しかしながら、上述した識別手段による機器互換性の認識を容易にした内視鏡システムにおいても、機器自体は組み合わされる相手の機器を識別できるが、使用者が外見から互換性をわかりやすく理解するようにしたものではなく、互換性の判断が従前と同様に外観から容易に判断できないという不都合があった。
【０００９】
また、上述した識別手段による機器互換性の認識を容易にした内視鏡システムにおいても、新たな内視鏡システムが提案された後から、互換性を識別する手段を追加するようにはなっていないという不都合もあった。
【００１０】
本発明は、上記事情に鑑みてなされたものであり、システムをまたがって接続互換性の有無を、使用者が外観から容易に理解することのできる内視鏡システムを提供することを目的とする。
【００１１】
さらに、既存のシステムに対しても追加の識別手段を付与することのできる内視鏡システムを提供することを目的とする。
【課題を解決するための手段】
【００１２】
本発明の請求項１に記載の内視鏡システムは、体腔内を撮像する複数の内視鏡と、前記内視鏡より延出したケーブル基端に設けられたプラグを着脱自在に接続するレセプタクルを有する前記内視鏡が撮像した撮像信号を信号処理する複数のプロセッサ装置とを備えた内視鏡システムにおいて、前記プラグに設けられ前記プロセッサ装置との接続互換性の表示を行う第１の互換性識別表示手段と、前記レセプタクルに設けられ前記内視鏡との接続互換性の表示を行う第２の互換性識別表示手段とを備えて構成される。
【００１３】
本発明の請求項２に記載の内視鏡システムは、請求項１に記載の構成において、前記第１及び第２の互換性識別表示手段が前記接続互換性の表示の追加を可能とするように構成される。
【発明の効果】
【００１４】
請求項１の本発明によれば、システムをまたがって接続互換性の有無を、使用者が外観から容易に理解することができるという効果がある。
【００１５】
さらに、請求項２の本発明によれば、既存のシステムに対しても追加の識別手段を付与することができるという効果がある。
【発明を実施するための最良の形態】
【００１６】
以下、図面を参照しながら本発明の実施例について述べる。
【実施例１】
【００１７】
図１ないし図１０は本発明の実施例１に係わり、図１は内視鏡システムの構成例を示すブロック図、図２は所定の互換性を有する複数種類の図１の内視鏡システムからなる内視鏡システム群を示すブロック図、図３は図２のプローブ群のコネクタ・プラグとプロセッサ装置のコネクタ・レセプタクルとの接続を説明する図、図４は図２のプローブ群とプロセッサ装置の組合せによる互換性を示すカラーコードの表示例を示す第１の図、図５は図２のプローブ群とプロセッサ装置の組合せによる互換性を示すカラーコードの表示例を示す第２の図、図６は図２のプローブ群とプロセッサ装置の組合せによる互換性を示すカラーコードの表示例を示す第３の図、図７は図２のプローブ群とプロセッサ装置の組合せによる互換性を示すカラーコードの表示例を示す第４の図、図８は図２のプローブ群とプロセッサ装置の組合せによる互換性を示すカラーコードの表示例を示す第５の図、図９は図２のプローブ群とプロセッサ装置の組合せによる互換性を示すカラーコードの表示例を示す第６の図、図１０は図２のプローブ群とプロセッサ装置の組合せによる互換性を示すカラーコードの表示例を示す第７の図である。
【００１８】
図１に示すように、本実施例の内視鏡システム１は、例えば被観察部を観察できる内視鏡２と、この内視鏡２にライトガイドケーブル３を介して接続され前記内視鏡２に照明光を供給する光源装置４と、前記内視鏡２に接続され図示しない固体撮像素子（ＣＣＤ）を内蔵する内視鏡用撮像装置５と、前記内視鏡用撮像装置５から延出した先端にコネクタプラグ６を有するケーブル７と、前記コネクタ・プラグ６が接続されるコネクタ・レセプタクル８を備え前記内視鏡用撮像装置５からケーブル７、コネクタ６からなるプローブ部１１を介して取り込まれた撮像信号を処理する（ビデオ）プロセッサ装置９と、前記（ビデオ）プロセッサ装置９からの映像信号を表示するモニタ１０とから構成されている。
【００１９】
図２は複数の内視鏡システム１より構成される内視鏡システム群を示すブロック図であって、各内視鏡システム１はプローブ部１１及びプロセッサ装置９のみを表示したものである。
【００２０】
図２においては一例として、内視鏡システム１Ａと、内視鏡システム１Ｂと、内視鏡システム１Ｃとから構成された内視鏡システム群が示されている。
【００２１】
ここでは、本実施例の理解を容易にするため、３種類の異なる形式（仕様）の内視鏡システム１Ａ，１Ｂ，１Ｃを例に挙げて説明しているが、これに限定されるものではなく、２種類以上の異なる形式（仕様）の内視鏡システムであれば本実施例は当然に適用可能である。また、図２中、各内視鏡システムに付された符号のアルファベットは、例えば製品化された順番を示し、内視鏡システム１Ａの次が内視鏡システム１Ｂ、さらにその次が内視鏡システム１Ｃといった具合に製品化されたことを示す。
【００２２】
この図２において、 前記内視鏡システム１Ａは、プローブ群２０Ａと、プロセッサ装置９Ａとを備えており、前記内視鏡システム１Ｂは、プローブ群２０Ｂと、プロセッサ装置９Ｂとを備えており、また、前記内視鏡システム１Ｃは、プローブ群２０Ｃと、プロセッサ装置９Ｃとを備えている。
【００２３】
前記プローブ群２０Ａ，２０Ｂ，２０Ｃは、内視鏡撮像装置５を含む各内視鏡システム１Ａ，１Ｂ，１Ｃ毎のプローブ部１１のラインナップ例を示している。また、前記プロセッサ装置９Ａ，９Ｂ，９Ｃは、内視鏡システム１Ａ，１Ｂ，１Ｃ毎のプロセッサ装置９を示している。
【００２４】
また、前記各内視鏡システム１Ａ，１Ｂ，１Ｃにおいて、前記プローブ群２０Ａ，２０Ｂ，２０Ｃと、前記プロセッサ装置９Ａ，９Ｂ，９Ｃとを結ぶ線は、お互いに接続して使用できること、すなわち接続互換性があることを示している。
【００２５】
すなわち、本実施例は、プローブ群２０Ａとプロセッサ装置９Ａとを備えた内視鏡システム１Ａと、プローブ群２０Ｂとプロセッサ装置９Ｂとを備えた内視鏡システム１Ｂと、プローブ群２０Ｃとプロセッサ装置９Ｃとを備えた内視鏡システム１Ｃというのように複数種類以上の異なる形式（仕様）の内視鏡システムがある場合において、前記各内視鏡システム１Ａ，１Ｂ，１Ｃにまたがって前記プローブ２０Ａ，２０Ｂ，２０Ｃと前記プロセッサ装置９Ａ，９Ｂ，９Ｃとの接続互換性を表示可能とするとともに前記接続互換性の表示の追加を可能としたものである。
【００２６】
具体的には、前記各内視鏡システム１Ａ，１Ｂ，１Ｃにおいて、前記プローブ群２０Ａ，２０Ｂ，２０Ｃ及び前記プロセッサ装置９Ａ，９Ｂ，９Ｃには、図３に示すように、第１及び第２の互換性識別表示手段であるカラーコード部３０ｐ，３０ｒが設けられている。
【００２７】
ここで、これらカラーコード部３０ｐ，３０ｒは、前記内視鏡システム１Ａが例えば「青」色、前記内視鏡システム１Ｂが例えば「黄」色、前記内視鏡システム１Ｃが例えば「緑」色に設定するものとする。なお、前記色は、これに限定されるものではなく、識別を可能とするものであれば色の種類は問わない。以下、カラーコード部３０ｐ，３０ｒの色をカラーコードとも記す。
【００２８】
これらのカラーコード部３０ｐは前記プローブ群２０Ａ，２０Ｂ，２０Ｃのコネクタ・プラグ６の所定の領域に、これらのカラーコード部３０ｒは前記プロセッサ装置９Ａ，９Ｂ，９Ｃのコネクタ・レセプタクル８の周辺に、それぞれ以下に詳細に説明する方法で表示されるようになっている。
【００２９】
なお、前記内視鏡システム１Ａ，１Ｂ，１Ｃにおいて、各プローブ群２０Ａ，２０Ｂ，２０Ｃのコネクタ・プラグ６と、各プロセッサ装置９Ａ，９Ｂ，９Ｃの各コネクタ・レセプタクル８とに設けるカラーコード部３０ｐ，３０ｒは、それぞれが例えばカラーコード（色）が異なるのみであって、構造等は同一であるので、前記内視鏡システム１Ａにおけるプローブ群２０Ａのコネクタ・プラグ６と、プロセッサ装置９Ａのコネクタ・レセプタクル８を代表させて図３に示し、これを説明をすることにし、他の各プローブ群２０Ｂ，２０Ｃのコネクタ・プラグ６と、各プロセッサ装置９Ｂ，９Ｃの各コネクタ・レセプタクル８については説明を省略する。
【００３０】
図３に示すように、前記プローブ群２０Ａのコネクタ・プラグ６の所定の領域には、カラーコマ３１ｐを埋め込む穴３２ｐ，３２ｐ，…が複数設けられている。また、同様に、前記プロセッサ装置９Ａに設けられたコネクタ・レセプタクル８の周辺の所定の領域（当該レセプタクル８の図示上側）には、カラーコマ３１ｒを埋め込む穴３２ｒ，３２ｒ，…が複数設けられている。
【００３１】
また、プローブ群２０Ａ側の接続互換性を表示するために必要とするカラーコマ３１ｐは、例えばゴム製の円柱形状の部材で前記穴３２ｐの直径よりやや大きく構成されていて、前記プローブ群２０Ａのコネクタ・プラグ６所定の穴３２ｐ，３２ｐ，…のうち表示該当穴３２ｐに当該ゴム製の円柱形状の部材を埋め込み固定されることより、プローブ側のカラーコード部３０ｐが形成されている。
【００３２】
同様に、プロセッサ装置９Ａ側の接続互換性を表示するために必要なカラーコマ３１ｒは、例えばゴム製の円柱形状の部材で前記穴３２ｒの直径よりやや大きく構成されていて、前記プロセッサ装置９Ａのコネクタ・レセプタクル８の図示上側に設けられた穴３２ｒ，３２ｒ，…のうち表示該当穴３２ｒに当該ゴム製の円柱形状の部材を埋め込み固定されることによりレセプタクル側のカラーコード部３０ｒが形成されている。
【００３３】
この結果、内視鏡システム１Ａには、これらプローブ側のカラーコード部３０ｐ及びレセプタクル側のカラーコード部３０ｒからなる第１及び第２の互換性識別表示手段が設けられたことになる。
【００３４】
すなわち、本実施例における第１及び第２の互換性識別表示手段は、プローブ群２０Ａのコネクタ・プラグ６の所定の領域に予め複数用意された識別部材保持部である穴３２ｐ及びこの識別部材保持部である穴３２ｐに着脱自在な色分けされた識別部材であるカラーコマ３１ｐからなるプローブ側のカラーコード部３０ｐと、プロセッサ装置９Ａのコネクタ・レセプタクル８の上側の所定の領域に予め複数用意された識別部材保持部である穴３２ｒ及びこの識別部材保持部である穴３２ｒに着脱自在な色分けされた識別部材であるカラーコマ３１ｒからなるレセプタクル側のカラーコード部３０ｒとから構成されている。
【００３５】
このように構成された本実施例の内視鏡システムについて図４ないし図１０を参照してその作用を説明する。
【００３６】
（ケース１）内視鏡システム１Ａに新たに内視鏡システム１Ｂを追加した場合：
内視鏡システム１Ａにおける「青」色のカラーコード部３０ｐのプローブ群２０Ａは、図２の線分で示すように、内視鏡システム１Ａにおける同じ「青」色のカラーコード３１ｒのプロセッサ装置９Ａと、新たに製品化された内視鏡システム１Ｂにおける「黄」色のカラーコード部３０ｒのプロセッサ装置９Ｂとの組合せが可能である。
【００３７】
よって、プローブ群２０Ａの内視鏡システム１Ａを使用していたユーザーは、内視鏡システム１Ｂのうちプロセッサ装置９Ｂを入手した場合には、手持ちのプローブ群２０Ａのコネクタ・プラグ６の所定の領域の穴３２ｐに「黄」色のカラーコマ３１ｐを追加して埋め込み固定する。これにより、プローブ群２０Ａ、プロセッサ装置９Ａ、プローブ群２０Ｂ、プロセッサ装置９Ｂのカラーコード（色）は図４に示すようになる。
【００３８】
（ケース２）内視鏡システム１Ａに新たに内視鏡システム１Ｃを追加した場合：
内視鏡システム１Ａにおける「青」色のカラーコード部３０ｐのプローブ群２０Ａは、図２の線分で示すように、新たに製品化された内視鏡システム１Ｃにおける「緑」色のカラーコード部３０ｒのプロセッサ装置９Ｃとの組合せはできないので、プローブ群２０Ａ、プロセッサ装置９Ａ、プローブ群２０Ｃ、プロセッサ装置９Ｃのカラーコード（色）は図５に示すようになる。
【００３９】
（ケース３）内視鏡システム１Ｂに新たに内視鏡システム１Ｃを追加した場合：
内視鏡システム１Ｂにおける「黄」色のカラーコード部３０ｐのプローブ群２０Ｂは、図２の線分で示すように、内視鏡システム１Ｂにおける同じ「黄」色のカラーコード３１ｒのプロセッサ装置９Ｂと、新たに製品化された内視鏡システム１Ｃにおける「緑」色のカラーコード部３０ｒのプロセッサ装置９Ｃとの組合せが可能である。同様に、プローブ群２０Ｃはプロセッサ装置９Ｂとプロセッサ装置９Ｃとの組合せが可能である。
【００４０】
よって、プローブ群２０Ｂの内視鏡システム１Ｂを使用していたユーザーは、内視鏡システム１Ｃを入手した場合には、手持ちのプローブ群２０Ｂのコネクタ・プラグ６の所定の領域の穴３２ｐに「緑」色のカラーコマ３１ｐを追加して埋め込み固定する。これにより、プローブ群２０Ｂ、プロセッサ装置９Ｂ、プローブ群２０Ｃ、プロセッサ装置９Ｃのカラーコード（色）は図６に示すようになる。
【００４１】
なお、この場合、プローブ群２０Ｃのコネクタ・プラグ６の所定の領域の穴３２ｐに「黄」色のカラーコマ３１ｐを追加して埋め込み固定してよく、これにより、プローブ群２０Ｂ、プロセッサ装置９Ｂ、プローブ群２０Ｃ、プロセッサ装置９Ｃのカラーコード（色）は図７に示すようになる。
【００４２】
（ケース４）内視鏡システム１Ａに新たに内視鏡システム１Ｂを追加し、さらに内視鏡システム１Ｃを追加した場合：
各内視鏡システム１Ａ、１Ｂ、１Ｃ間の互換性は、（ケース１）ないし（ケース３）で説明したので省略するが、それぞれのコネクタ・プラグ６及びカラーコマ３１ｐ、３１ｒを所定の穴３２ｐ、３２ｒに追加して埋め込み固定することにより、プローブ群２０Ａ、プロセッサ装置９Ａ、プローブ群２０Ｂ、プロセッサ装置９Ｂ、プローブ群２０Ｃ、プロセッサ装置９Ｃのカラーコード（色）は図８ないし図１０に示すようになる。
【００４３】
ここで、プローブ群とプロセッサ装置との互換性の判断は、それぞれのカラーコード（色）に１つでも同一の色が存在すれば接続可能と判断する。例えば図１０のように、プローブ群２０Ｃのカラーコード部３０ｐのカラーコード（色）が「緑＋黄」で、プロセッサ装置９Ｂのカラーコード部３０ｒのカラーコード（色）が「黄＋青」の場合、「黄」色が共通に存在するので、プローブ群２０Ｃとプロセッサ装置９Ｂとが接続可能であることが判断できる。
【００４４】
なお、内視鏡システム１のうちプロセッサ装置９には、製造された時点で接続可能なプローブ群２０のカラーコード（色）のカラーコマ３１ｒを、コネクタ・レセプタクル８の図示上側の領域の穴３２ｒに予め埋め込み固定してある。もちろん、このプロセッサ装置９の製造後に、接続可能な新たなプローブ群２０があって、かつ、ユーザーがプロセッサ装置９を入手後に、その接続可能なプローブ群２０を入手したときには、プロセッサ装置９のコネクタ・レセプタクル８の図示上側の領域の穴３２ｒに、接続可能なプローブ群２０の色のカラーコマ３１ｒを埋め込み固定することにより、追加の接続互換性が表示可能となる。
【００４５】
このようにプローブ群２０及びプロセッサ装置９に、それぞれ接続互換性がある場合には、カラーコマを追加してゆくことができる。
【００４６】
このように本実施例の内視鏡システムによれば、システムをまたがった接続互換性の有無を使用者が外見から容易に判断でき、かつ、既存のシステムに対しても必要に応じて後から互換性がわかるように表示を追加できるようにしたので、新旧をまたがった複雑な互換性の関係も使用者は外観から簡単に理解することができる。
【００４７】
なお、本実施例では、識別部材としてはゴム部材からなるカラーコマ３１ｐ，３１ｒを、識別部材保持部（穴３２ｐ，３２ｒ）に圧入する方法で説明したが、これに限定されることなく、例えばゴムリングの装着するようにしてもよい。
【００４８】
また、識別部材を雄ねじを形成し、かつ、識別部材保持部（穴３２ｐ，３２ｒ）を雌ねじを形成してねじ込み式にしてもよい。また、識別部材は、シールの一面に着色し、他の面に接着材を設け、識別部材保持部分を平坦にして識別部材の接着部分を接着し、着色面の表示のみとし、シール等で取付られるようにしてもよい。
【実施例２】
【００４９】
図１１は本発明の実施例２に係るプローブ群のコネクタ・プラグとプロセッサ装置のコネクタ・レセプタクルとの接続を説明する図である。
【００５０】
実施例２は、実施例１とほとんど同じであるので、異なる点のみ説明し、同一の構成には同じ符号をつけ説明は省略する。
【００５１】
本実施例を内視鏡システム１Ａを例に説明すると、図１１に示すように、前記プロセッサ装置９Ａのコネクタ・レセプタクル８の所定の領域設けられた本実施例のレセプタクル側のカラーコード部３０ｒは、実施例１におけるカラーコマ３１ｒと穴３２ｒに代えて、各カラーコードの色が予め複数種印刷されたベース板４０と、当該ベース板４０の上に重ねられて前記ベース板４０の各色に対応する部分が円板状に切り取ることができる樹脂製の蓋部材４１とから構成されたものである。
【００５２】
互換性の増加に伴って、該当するカラーコードの色が印刷されている位置の蓋部材４１を切り取ることにより、ベース板４０の色が見えるようになり、新たな色が表示されることになる。
【００５３】
このような実施例２によれば、カラーコード部３０ｒの色の表示を追加する際にも、別な部品（カラーコマ等）を用意する必要がなく、簡単に接続互換性の表示の追加ができる。
【実施例３】
【００５４】
図１２は本発明の実施例３に係るプローブ群のコネクタ・プラグとプロセッサ装置のコネクタ・レセプタクルとの接続を説明する図である。
【００５５】
実施例３は、実施例１とほとんど同じであるので、異なる点のみ説明し、同一の構成には同じ符号をつけ説明は省略する。
【００５６】
本実施例を内視鏡システム１Ｂを例に説明すると、図１２に示すように、前記プロセッサ装置９Ｂのコネクタ・レセプタクル８の所定の領域設けられた本実施例のレセプタクル側のカラーコード部３０ｒは、実施例１におけるカラーコマ３１ｒと穴３２ｒに代えて、前記コネクタ・レセプタクル８の上の所定の領域に配置され各カラーコードの色を発光できる色発光手段としての発光ダイオード（ＬＥＤ）５０，５０，…と、前記発光ダイオード（ＬＥＤ）５０，５０，…のうち表示をしなければならないＬＥＤ５０を発光させ続けるＬＥＤ駆動保持回路（図示せず）と、前記駆動保持回路に発光させる色などを前記コネクタ・レセプタクル８に接続されたコネクタ・プラグ６内に設けられた内視鏡識別手段としての抵抗５１の抵抗値から判定して指定する判定回路（図示せず）とを備えており、抵抗５１の抵抗値によりコネクタ・プローブ６を一度認識すると、ＬＥＤ５０を当該コネクタ・プローブ６に応じた色で点灯させるようにしたものである。
【００５７】
ここで、本実施例では、図１２に示すように、各コネクタ・プラグ６，６，…の各内部に所定の抵抗値の抵抗５１を配置し、かつ、この抵抗５１の抵抗値を前記コネクタ・レセプタクル８に伝達できるようにコネクタ・プラグ６の所定のピンに電気的に接続をしておくものとする。
【００５８】
具体的には、あるカラーコードのコネクタ・プラグ６が、初めて異なるシステムの、例えば内視鏡システム１Ｂにおけるプロセッサ装置９Ｂのコネクタ・レセプタクル８に接続されたとすると、前記コネクタ・プラグ６の内部の抵抗５１の抵抗値がプロセッサ装置９Ｂの判定回路で読み取られる。前記判定回路は、その読み取った抵抗値に基づいて発光させるべき色と場所を決定し、その信号を前記駆動保持回路に与える。すなわち、前記判定回路は、抵抗５１の抵抗値（コネクタ・プラグ６の種別）を一度認識すると、その認識した結果を駆動保持回路に与える。前記駆動保持回路は、その認識した結果に基づきＬＥＤ５０を指定された色で発色させる駆動信号を前記ＬＥＤ５０に与える。以後は、ＬＥＤ５０は、その決定された（プラグ６の種類を認識した結果で決定された）色に発光させることになる。
【００５９】
このような本実施例によれば、カラーコードの表示を追加する際に、特別な部品（カラーコマ等）を必要とすることがなく、かつ、特別な作業も必要がなくなる。
【実施例４】
【００６０】
図１３は本発明の実施例４に係るプローブ群のコネクタ・プラグの構成を説明する図である。
【００６１】
実施例４は、実施例１とほとんど同じであるので、異なる点のみ説明し、同一の構成には同じ符号をつけ説明は省略する。
【００６２】
本実施例では、図１３に示すように、プローブ側のカラーコード部３０ｐは、コネクタ・プラグ６に、一段小径に形成した識別リング取付部６０が設けられ、ゴム製のリングで各カラーコードに応じた色に着色された識別リング６１が識別リング取付部６０に嵌められて構成される。
【００６３】
識別リング取付部６０は、複数の識別リング６１が嵌められるような長さに形成されていて、識別リング６１が嵌められていない部分には、コネクタ・プラグ６と同色でゴム製のスペーサ６２が嵌められている。スペーサ６２は、識別リング取付部６０の空スペースに応じて選択できるように複数用意されている。
【００６４】
プローブ側のカラーコード部３０ｐの色を追加で表示する際には、スペーサ６２を外し、該当色の識別リング６１を追加で識別リング取付部６０に嵌める。スペーサ６２は一つ小さなサイズと交換して識別リング取付部６０に嵌める。
【００６５】
このような本実施例によれば、ゴム製リング６１をコネクタ・プラグ６に通しているので、ゴム製リング６１をが脱落の恐れがないという利点がある。
【００６６】
本発明は、上述した実施例に限定されるものではなく、本発明の要旨を変えない範囲において、種々の変更、改変等が可能である。
【図面の簡単な説明】
【００６７】
【図１】本発明の実施例１に係る内視鏡システムの構成例を示すブロック図
【図２】所定の互換性を有する複数種類の図１の内視鏡システムからなる内視鏡システム群を示すブロック図
【図３】図２のプローブ群のコネクタ・プラグとプロセッサ装置のコネクタ・レセプタクルとの接続を説明する図
【図４】図２のプローブ群とプロセッサ装置の組合せによる互換性を示すカラーコードの表示例を示す第１の図
【図５】図２のプローブ群とプロセッサ装置の組合せによる互換性を示すカラーコードの表示例を示す第２の図
【図６】図２のプローブ群とプロセッサ装置の組合せによる互換性を示すカラーコードの表示例を示す第３の図
【図７】図２のプローブ群とプロセッサ装置の組合せによる互換性を示すカラーコードの表示例を示す第４の図
【図８】図２のプローブ群とプロセッサ装置の組合せによる互換性を示すカラーコードの表示例を示す第５の図
【図９】図２のプローブ群とプロセッサ装置の組合せによる互換性を示すカラーコードの表示例を示す第６の図
【図１０】図２のプローブ群とプロセッサ装置の組合せによる互換性を示すカラーコードの表示例を示す第７の図
【図１１】本発明の実施例２に係るプローブ群のコネクタ・プラグとプロセッサ装置のコネクタ・レセプタクルとの接続を説明する図
【図１２】本発明の実施例３に係るプローブ群のコネクタ・プラグとプロセッサ装置のコネクタ・レセプタクルとの接続を説明する図
【図１３】本発明の実施例４に係るプローブ群のコネクタ・プラグの構成を説明する図
【符号の説明】
【００６８】
１，１Ａ，１Ｂ，１Ｃ…内視鏡システム
２…内視鏡
３…ライトガイドケーブル
４…光源装置
５…内視鏡用撮像装置
６…コネクタ・プラグ
７…ケーブル
８…コネクタ・レセプタクル
９，９Ａ，９Ｂ，９Ｃ…（ビデオ）プロセッサ装置
１０…モニタ
１１…プローブ部
２０Ａ，２０Ｂ，２０Ｃ…プローブ群
３０ｐ，３０ｒ…カラーコード部
代理人    弁理士    伊藤  進
【図１】
2005168769.tif 000003
【図２】
2005168769.tif 000004
【図３】
2005168769.tif 000005
【図４】
2005168769.tif 000006
【図５】
2005168769.tif 000007
【図６】
2005168769.tif 000008
【図７】
2005168769.tif 000009
【図８】
2005168769.tif 000010
【図９】
2005168769.tif 000011
【図１０】
2005168769.tif 000012
【図１１】
2005168769.tif 000013
【図１２】
2005168769.tif 000014
【図１３】
2005168769.tif 000015